(57)【要約】【課題】人に送風が当たって寒く感じるのを防止できる壁掛型の暖房機を提供する。【解決手段】  送風機構６と、輻射用ヒータ３，４と、室温検知手段２３と、制御部２４とを備えた暖房機に於いて、前記制御部２４は、前記輻射用ヒータ３，４による輻射暖房運転を行なう時、前記室温検知手段２３が検知する室温が低いほど送風機構による送風量を小さくするので、室温が低い場合、送風機構６による風量が小さいので、送風が人に当たって体感温度が下がり寒さを感じるのを防ぐことができ、室温が高いほど送風機構６による風量を大きくするので、送風が人に当たっても体感温度の低下が小さく、寒さを感じないようにしつつ、脱衣室等の部屋の空間全体を風が循環して空間全体を速く温めることができるものである。【選択図】  図３
2019086217.tif 000002
【特許請求の範囲】
【請求項１】
送風機構と、輻射用ヒータと、室温検知手段と、制御部とを備えた暖房機に於いて、前記制御部は、前記輻射用ヒータによる輻射暖房運転を行なう時、前記室温検知手段が検知する室温が低いほど送風機構による送風量を小さくすることを特徴とする暖房機。
【請求項２】
送風機構と、輻射用ヒータと、室温検知手段と、制御部とを備えた暖房機に於いて、前記制御部は、前記輻射用ヒータによる輻射暖房運転を行なう時、前記室温検知手段が検知する室温が低いほど前記輻射用ヒータの出力を大きくすると共に、前記室温検知手段が検知する室温が低いほど送風機構による送風量を小さくすることを特徴とする暖房機。
【請求項３】
送風機構と、輻射用ヒータと、手動により前記輻射用ヒータの出力を設定する暖房能力切替えスイッチと、室温検知手段と、制御部とを備えた暖房機に於いて、前記制御部は、前記室温検知手段が検知する室温が低いほど送風機構による送風量を小さくすると共に、前記暖房能力切替えスイッチにより前記輻射用ヒータの出力を小さくしたとき、同じ室温でも輻射用ヒータの出力が大きい時に比べて送風機構による送風量を小さくすることを特徴とする暖房機。
【発明の詳細な説明】
【技術分野】
【０００１】
本発明は、ケースの背面部が壁に掛けられてなる壁掛型の暖房機に関するものである。
【背景技術】
【０００２】
従来、この種のものに於いては、輻射式のヒーターと、このヒーターを囲い室内に向かって熱エネルギを反射する反射板と、この反射板の上方に配置され反射板に向かって送風を行う送風機構とがケースに収納され、このケースの背面部が壁に掛けられて固定されており、入浴時に輻射加熱手段である輻射式のヒーターと送風機構である送風機の運転によって気流感の少ない輻射暖房を行うものであった。（例えば、特許文献１参照。）
【先行技術文献】
【特許文献】
【０００３】
【特許文献１】特開２００７−４０６３４号
【発明の概要】
【発明が解決しようとする課題】
【０００４】
ところで、この従来のものでは、輻射暖房の時に送風機で送風するのは、輻射式のヒーターや反射板が高温になるのを防止するために冷却するためのもので、それにより温度が上昇した空気が通気孔から吹き出されるが、室温が低い時は微風であっても吹き出された風が人に当たると寒く感じ、逆に室温がさほど低くない時は吹き出された風が微風だと暖かさが感じられないという課題があった。
【課題を解決するための手段】
【０００５】
上記課題を解決するために、本発明の請求項１では、送風機構と、輻射用ヒータと、室温検知手段と、制御部とを備えた暖房機に於いて、前記制御部は、前記輻射用ヒータによる輻射暖房運転を行なう時、前記室温検知手段が検知する室温が低いほど送風機構による送風量を小さくするものである。
【０００６】
また、請求項２では、送風機構と、輻射用ヒータと、室温検知手段と、制御部とを備えた暖房機に於いて、前記制御部は、前記輻射用ヒータによる輻射暖房運転を行なう時、前記室温検知手段が検知する室温が低いほど前記輻射用ヒータの出力を大きくすると共に、前記室温検知手段が検知する室温が低いほど送風機構による送風量を小さくするものである。
【０００７】
また、請求項３では、送風機構と、輻射用ヒータと、手動により前記輻射用ヒータの出力を設定する暖房能力切替えスイッチと、室温検知手段と、制御部とを備えた暖房機に於いて、前記制御部は、前記室温検知手段が検知する室温が低いほど送風機構による送風量を小さくすると共に、前記暖房能力切替えスイッチにより前記輻射用ヒータの出力を小さくしたとき、同じ室温でも輻射用ヒータの出力が大きい時に比べて送風機構による送風量を小さくするものである。
【発明の効果】
【０００８】
この発明の請求項１によれば、送風機構と、輻射用ヒータと、室温検知手段と、制御部とを備えた暖房機に於いて、前記制御部は、前記輻射用ヒータによる輻射暖房運転を行なう時、前記室温検知手段が検知する室温が低いほど送風機構による送風量を小さくするので、室温が低い場合、送風機構６による風量が小さいので、送風が人に当たって体感温度が下がり寒さを感じるのを防ぐことができるものである。
【０００９】
又、請求項２によれば、送風機構と、輻射用ヒータと、室温検知手段と、制御部とを備えた暖房機に於いて、前記制御部は、前記輻射用ヒータによる輻射暖房運転を行なう時、前記室温検知手段が検知する室温が低いほど前記輻射用ヒータの出力を大きくすると共に、前記室温検知手段が検知する室温が低いほど送風機構による送風量を小さくするので、室温が低い場合、輻射用ヒータの出力を大きくして輻射熱の放射量を多くしつつ、風量を小さくして人に当たる送風を弱くして風が当たる感じがしないようにして寒さを感じるのを防ぐことができるものである。
【００１０】
又、請求項３によれば、送風機構と、輻射用ヒータと、手動により前記輻射用ヒータの出力を設定する暖房能力切替えスイッチと、室温検知手段と、制御部とを備えた暖房機に於いて、前記制御部は、前記室温検知手段が検知する室温が低いほど送風機構による送風量を小さくすると共に、前記暖房能力切替えスイッチにより前記輻射用ヒータの出力を小さくしたとき、同じ室温でも輻射用ヒータの出力が大きい時に比べて送風機構による送風量を小さくするので、例えば室内の電気のブレーカーが作動しないように使用者がヒーター３，４の出力を弱に選択しても、それに合わせて送風量を自動設定することで、室内の電気のブレーカーが作動しないようにしつつ、人が風が当たっているとは感じず、体感温度が下がって寒さを感じるのを防ぐことができるものである。
【図面の簡単な説明】
【００１１】
【図１】この発明一実施例を付した壁掛型暖房機の正面図。
【図２】図１のＡ−Ａ断面図。
【図３】輻射暖房運転のフローチャート図。
【図４】別の実施形態の輻射暖房運転のフローチャート図。
【発明を実施するための形態】
【００１２】
次に、この発明の一実施形態を図面に基づいて説明する。
１は壁掛型暖房機で、壁にケース２が固定され、このケース２にカーボンランプヒータなどの輻射暖房を行なう２本のヒーター３，４、これらのヒーター３，４を覆っている反射板５、及び、反射板５に向かって送風を行う送風機構６が収納されている。
【００１３】
又、前記ケース２の左右の端部には、それぞれフィルタ７，８が取り付けられており、前記フィルタ７，８は、塵や埃の堆積を抑制するために、概ね鉛直軸に沿って設けられている。
【００１４】
前記ケース２は、壁に固定された平面状の背面部９と、この背面部９の上端から室内に向かって延びる平面状の天井面部１０と、この天井面部１０の先端から背面部９の下端まで延びる曲面状の正面部１１とを備えており、前記天井面部１０は、壁から室内に向かって緩やかな下がり勾配に延びており、又、前記正面部１１は、緩やかな曲面によって構成され、正面部１１の下部には、幅方向に亘って開口１２が形成され、この開口１２からヒーター３，４が室内に臨んでいるものである。
【００１５】
前記開口１２には、ヒーター３，４を保護するための網板１３が被せられ、又、前記ヒーター３，４は、それぞれ水平に延びる棒状ヒーターが用いられてそれぞれ上下にオフセットして配置されている。
【００１６】
下方に配置された下部ヒーター３は、上方に配置された上部ヒーター４よりも壁Ｗ側に位置している。
なお、ヒーター３，４には、横長の面状ヒーターを用いることもでき、また、
、ヒーター３，４の本数は、任意である。
【００１７】
前記反射板５は、側面視において略Ｗ字状を呈する金属板であり、ヒーター３，４が発した熱線を室内に向かって反射させるもので、下部ヒーター３を覆い側面視において略Ｕ字状を呈する下部反射板本体部１４（反射板本体部１４）と、この下部反射板本体部１４の下端から室内Ｒに向かって延びる下部延出部１５（延出部１５）と、上部ヒーター４を覆い側面視において略Ｕ字状を呈する上部反射板本体部１６と、この上部反射板本体部１６の上端から室内に向かって延びる上部延出部１７と、下部反射板本体部１４及び上部反射板本体部１６を接続している反射板接続部１８とを有している。
【００１８】
前記下部反射板本体部１４は、下部ヒーターの上方及び後方（下部ヒーター３を基準として壁側の側部）を覆っており、前記下部反射板本体部１４のうち、下部ヒーター３の上方を覆っている部位は、壁側から室内側に向かって緩やかな上り勾配とされている。
【００１９】
又、前記下部延出部１５は、下部反射板本体部１４との境界部１９から室内に向かって下り勾配に延びており、下部延出部１５の先端は、下部ヒーター３の下方に位置し、前記下部反射板本体部１４と下部延出部１５との境界部１９は、ケース２の背面部９に対して離間している。
【００２０】
又、上部反射板本体部１６は、上部ヒーター４の上方及び後方（上部ヒーター４を基準として壁側の側部）を覆っており、上部反射板本体部１６のうち、上部ヒーター４の上方を覆っている部位は、壁側から室内側に向かって緩やかな上り勾配とされている。
【００２１】
又、前記上部延出部１７は、上部反射板本体部１６との境界部２０から室内に向かって上り勾配に延びており、前記上部延出部１７の先端は、開口１２の縁の近傍まで延びていて、前記上部延出部１７の先端と、開口１２の縁との間には、僅かな隙間を有している。
【００２２】
又、反射板接続部１８は、幅方向に亘って空けられ、送風機構６からの空気が通過する通気孔を有しており、これにより、反射板５の近傍に熱が篭もることを抑制している。
【００２３】
前記送風機構６は、ケース２の幅方向中央に位置するファンモータ２１と、このファンモータ２１の左右に配置されファンモータ２１によって駆動される左右のシロッコファン２２（右のシロッコファン２２のみが示されている。）とを有しており、送風機構６において発生させた風は、主に反射板接続部１８の開口部分を通過して室内に達し、送風機構６において発生させた風の一部は、下部反射板本体部１４とケース２の背面部９との間を通過して室内に達する。
【００２４】
２３は室温検知手段で、ケース２内の端部のフィルタ７近傍に設けられ、フィルタ７を通過して流入してきた空気の温度を検知することで室温を検知するものである。
【００２５】
２４は制御基板からなる制御部で、ケース２の正面部１１と仕切り壁２５とで形成される収納部２６内に設けられ、仕切り壁２５に取付けられているもので、ヒーター３，４や送風機構６の動作を制御するものである。
【００２６】
次にこの一実施形態の作動について図３に示すフローチャートに従って説明する。
まずリモコン（図示せず）の運転スイッチ（図示せず）がＯＮされると（Ｓ１）、制御部２４はリモコンの暖房スイッチ（図示せず）がＯＮされているかを確認し（Ｓ２）、暖房スイッチがＯＮされていない場合は、涼風運転と判断して涼風運転を開始する。（Ｓ３）
【００２７】
そして次に風量を「通常」と「強め」に設定できるリモコンの風量スイッチ（図示せず）が、「強め」に設定されているかを確認し（Ｓ４）、風量スイッチが「強め」に設定されていれば「強」風量で送風し（Ｓ５）、風量スイッチが「強め」に設定されていなければ「通常」として「中」風量で送風を行なう。（Ｓ６）
【００２８】
そして運転スイッチがＯＦＦされると（Ｓ７）、制御部２４は送風機構６を停止し（Ｓ８）、涼風運転を終了して（Ｓ９）、（Ｓ１）に戻るものである。
【００２９】
又、制御部２４は（Ｓ２）で暖房スイッチがＯＮされている場合は、暖房運転と判断して暖房運転を開始する。（Ｓ１０）
【００３０】
そして次に自動暖房運転を設定できるリモコンの自動運転スイッチ（図示せず）が「自動」に設定されているかを確認し（Ｓ１１）、自動運転スイッチが「自動」に設定されていれば、自動暖房運転と判断して、ヒーター３，４の出力と送風機構６による送風量とを室温に応じて自動設定する自動暖房運転を開始する。（Ｓ１２）
【００３１】
そして制御部２４は、室温検知手段２３が検知した室温が第１の所定温度、本実施例では室温が１５℃以上かを判断し（Ｓ１３）、室温が１５℃以上の場合は、ヒーター３，４の出力を「弱」に設定してヒーター３，４に通電を開始する。（Ｓ１４）
【００３２】
又、（Ｓ１３）で  室温検知手段２３が検知した室温が第１の所定温度である１５℃未満の場合は、室温検知手段２３が検知した室温が第２の所定温度、本実施例では室温が１０℃以上かを判断し（Ｓ１５）、室温が１０℃以上の場合は、ヒーター３，４の出力を「中」に設定してヒーター３，４に通電を開始する。（Ｓ１６）
又、（Ｓ１５）で  室温検知手段２３が検知した室温が第２の所定温度である１０℃未満の場合は、ヒーター３，４の出力を「強」に設定してヒーター３，４に通電を開始する。（Ｓ１７）
【００３３】
そして（Ｓ１４）でヒーター３，４の出力を「弱」に設定して通電を開始した後は、風量を「中」風量に設定して送風機構６を動作させ（Ｓ１８）、（Ｓ１６）でヒーター３，４の出力を「中」に設定して通電を開始した後は、風量を「弱」風量に設定して送風機構６を動作させ（Ｓ１９）、（Ｓ１７）でヒーター３，４の出力を「強」設定して通電を開始した後は、風量を「微弱」風量に設定して送風機構６を動作させるものである。（Ｓ２０）
【００３４】
そして（Ｓ１８）、（Ｓ１９）、（Ｓ２０）で送風を開始した後、運転スイッチがＯＦＦされると（Ｓ２１）、制御部２４はヒーター３，４への通電と送風機構６の動作を停止し（Ｓ２２）、暖房運転を運転を終了して（Ｓ２３）、（Ｓ１）に戻るものである。
【００３５】
以上のように、 室温検知手段２３が検知した室温が低いほどヒーター３，４の出力を高くするので、室温が低い場合、ヒーター３，４の出力が高いので輻射熱の放射量を多くして寒さを感じるのを防ぐことができるものである。
又、室温検知手段２３が検知した室温が低いほど送風機構６による風量を小さくするので、室温が低い場合、送風機構６による風量が小さいので、送風が人に当たって体感温度が下がり寒さを感じるのを防ぐことができるものである。
【００３６】
又、室温検知手段が検知する室温が低いほど前記輻射用ヒータの出力を大きくすると共に、前記室温検知手段が検知する室温が低いほど送風機構による送風量を小さくするので、室温が低い場合、輻射用ヒータの出力を大きくして輻射熱の放射量を多くしつつ、風量を小さくして人に当たる送風を弱くして風が当たる感じがしないようにして寒さを感じるのを防ぐことができ、使用者は自動運転を選択するだけでいいので使い勝手が向上するものである。
【００３７】
又、室温検知手段２３が検知した室温が高い場合、ヒーター３，４の出力を低くするので、寒さを感じるのを防ぎつつ消費電力を抑えることができるものである。
又、室温検知手段２３が検知した室温が高いほど送風機構６による風量を大きくするので、送風が人に当たっても体感温度の低下が小さく、寒さを感じないようにしつつ、脱衣室等の部屋の空間全体を風が循環して空間全体を速く温めることができるものである。
【００３８】
次に制御部２４は、（Ｓ１１）で自動運転スイッチが「自動」に設定されていなければ、手動暖房運転と判断して手動暖房運転を開始する。（Ｓ２４）
【００３９】
そして制御部２４は、手動暖房運転時のヒーター３，４の出力を「強」と、「中」と、「弱」に設定できるリモコンの暖房能力スイッチ（図示せず）が「強」に設定されているかを確認し（Ｓ２５）、暖房能力スイッチが「強」に設定されていれば、ヒーター３，４の出力を「強」に設定してヒーター３，４に通電を開始する。（Ｓ２６）
【００４０】
そして次にリモコンの風量スイッチが「強め」に設定されているかを確認し（Ｓ２７）、風量スイッチが「強め」に設定されていれば「中」風量で送風し（Ｓ２８）、風量スイッチが「強め」に設定されていなければ「弱」風量で送風を行ない（Ｓ２９）、（Ｓ２８）及び（Ｓ２９）から（Ｓ２１）に進むものである。
【００４１】
又、（Ｓ２５）でリモコンの暖房能力スイッチが「強」に設定されていない場合、次に制御部２４は、暖房能力スイッチが「中」に設定されているかを確認し（Ｓ３０）、暖房能力スイッチが「中」に設定されていれば、ヒーター３，４の出力を「中」に設定してヒーター３，４に通電を開始する。（Ｓ３１）
【００４２】
そして次にリモコンの風量スイッチが「強め」に設定されているかを確認し（Ｓ３２）、風量スイッチが「強め」に設定されていれば「弱」風量で送風し（Ｓ３３）、風量スイッチが「強め」に設定されていなければ「微弱」風量で送風を行ない（Ｓ３４）、（Ｓ３３）及び（Ｓ３４）から（Ｓ２１）に進むものである。
【００４３】
又、（Ｓ３０）でリモコンの暖房能力スイッチが「中」に設定されていない場合、暖房能力スイッチは「弱」に設定されているので、制御部２４はヒーター３，４の出力を「弱」に設定してヒーター３，４に通電を開始する。（Ｓ３５）
【００４４】
そして次に制御部２４はリモコンの風量スイッチの設定に関わらず、暖房能力スイッチが「弱」に設定されていることから、ごく弱めの暖房でよいと判断して「微弱」風量で送風を行ない（Ｓ３６）、（Ｓ３６から（Ｓ２１）に進むものである。
【００４５】
このように、 手動暖房運転では、使用者の設定した暖房能力にヒーター３，４の出力を設定し、その設定したヒーター３，４の出力に対して、使用者の設定した風量が「強め」か否かで風量を設定すると共に、使用者の設定した暖房能力が「強」の時の風量設定が「強め」の風量よりも、使用者の設定した暖房能力が「中」の時の風量設定が「強め」の風量を小さくし、同じく使用者の設定した暖房能力が「強」の時の風量設定が「通常」の風量よりも、使用者の設定した暖房能力が「中」の時の風量設定が「通常」の風量を小さくしているので、手動暖房運転であってもヒーター３，４の出力によって風量の大きさを変えているので、手動暖房運転でも使用者が送風に当たったときに寒さを感じるのを防ぐことができるものである。
【００４６】
次に別の実施形態の作動について図４に示すフローチャートに従って説明する。
尚、図３と同じ符号を付しているものは説明を省略する。
この実施形態は、自動暖房運転であってもヒーター３，４の出力は手動で暖房能力スイッチにて設定するもので、（Ｓ１１）で自動暖房運転を設定できるリモコンの自動運転スイッチが「自動」に設定されているかを確認し、自動運転スイッチが「自動」に設定されていれば、自動暖房運転と判断して、送風機構６による送風量を室温に応じて自動設定する自動暖房運転を開始する。（Ｓ１２）
【００４７】
そして次に制御部２４は、手動暖房運転時のヒーター３，４の出力を「強」と、「弱」に設定できるリモコンの暖房能力スイッチが「強」に設定されているかを確認し（Ｓ３７）、暖房能力スイッチが「強」に設定されていれば、ヒーター３，４の出力を「強」に設定してヒーター３，４に通電を開始する。（Ｓ３８）
【００４８】
そして次に制御部２４は、室温検知手段２３が検知した室温が第１の所定温度、本実施例では室温が１５℃以上かを判断し（Ｓ３９）、室温が１５℃以上の場合は、風量を「中」風量に設定して送風機構６を動作させて自動暖房運転を行なう。（Ｓ４０）
【００４９】
又、（Ｓ３９）で  室温検知手段２３が検知した室温が第１の所定温度である１５℃未満の場合は、室温検知手段２３が検知した室温が第２の所定温度、本実施例では室温が１０℃以上かを判断し（Ｓ４１）、室温が１０℃以上の場合は、風量を「弱」風量に設定して送風機構６を動作させて自動暖房運転を行なう。（Ｓ４２）
【００５０】
又、（Ｓ４１）で、室温検知手段２３が検知した室温が第２の所定温度である１０℃未満の場合は、風量を「微弱」風量に設定して送風機構６を動作させて自動暖房運転を行なうものである。（Ｓ４３）
【００５１】
そして（Ｓ４０）、（Ｓ４２）、（Ｓ４３）で送風を開始した後、運転スイッチがＯＦＦされると（Ｓ４４）、制御部２４はヒーター３，４への通電と送風機構６の動作を停止し（Ｓ２２）、暖房運転を運転を終了して（Ｓ２３）、（Ｓ１）に戻るものである。
【００５２】
又、（Ｓ３７）で、暖房能力スイッチが「強」に設定されていなければ、ヒーター３，４の出力を「弱」に設定してヒーター３，４に通電を開始する。（Ｓ４５）
【００５３】
そして次に制御部２４は、室温検知手段２３が検知した室温が第１の所定温度、本実施例では室温が１５℃以上かを判断し（Ｓ４６）、室温が１５℃以上の場合は、（Ｓ４２）に進んで風量を「弱」風量に設定して送風機構６を動作させて自動暖房運転を行なう。
【００５４】
又、（Ｓ４６）で  室温検知手段２３が検知した室温が第１の所定温度である１５℃未満の場合は、室温検知手段２３が検知した室温が第２の所定温度、本実施例では室温が１０℃以上かを判断し（Ｓ４７）、室温が１０℃以上の場合は、（Ｓ４３）に進んで風量を「弱微」風量に設定して送風機構６を動作させて自動暖房運転を行なう。
【００５５】
又、（Ｓ４７）で、室温検知手段２３が検知した室温が第２の所定温度である１０℃未満の場合は、風量を「微弱」よりも更に弱い「微」風量に設定して送風機構６を動作させて自動暖房運転を行なうものである。（Ｓ４８）
【００５６】
そして（Ｓ４２）、（Ｓ４３）、（Ｓ４８）で送風を開始した後、運転スイッチがＯＦＦされると（Ｓ４４）、制御部２４はヒーター３，４への通電と送風機構６の動作を停止し（Ｓ２２）、暖房運転を運転を終了して（Ｓ２３）、（Ｓ１）に戻るものである。
【００５７】
このように、 自動暖房運転を行なう時、手動で設定されたヒーター３，４の出力と、室温検知手段２３が検知した室温とにより送風量を自動設定し、手動で設定されたヒーター３，４の出力が低いほど送風量を小さくし、更に室温検知手段２３が検知した室温が低いほど風量を小さくするので、室温が低い場合、送風機構６による風量が小さくするので、人が風が当たっているとは感じず、それにより送風が当たることにより体感温度が下がり、寒さを感じるのを防ぐことができ、更に手動で設定されたヒーター３，４の出力が弱の場合は、ヒーター３，４の出力が強の場合に比べて同じ室温でも風量を小さくするので、例えば室内の電気のブレーカーが作動しないように使用者がヒーター３，４の出力を弱に選択しても、それに合わせて送風量を自動設定することで、室内の電気のブレーカーが作動しないようにしつつ、人が風が当たっているとは感じず、体感温度が下がって寒さを感じるのを防ぐことができるものである。
【符号の説明】
【００５８】
３，４  輻射用ヒータ
６  送風機構
２３  室温検知手段
２４  制御部
【図１】
2019086217.tif 000003
【図２】
2019086217.tif 000004
【図３】
2019086217.tif 000005
【図４】
2019086217.tif 000006